(57)【要約】【課題】散剤分割枡における通常使用時の余剰部分を正確に仕切ることができる機能を備えた分包機を提供する。【解決手段】散剤分割枡１０の長手方向に移動可能な仕切板１４の移動を規制する分割規制手段２０を設け、分割規制手段２０が前記第１の作動態様であるときに、この分割規制手段２０によって仕切板１４の移動が阻止され、分割規制手段２０が第２の作動態様であるときに、仕切板１４の移動が許容されるようにする。【選択図】図２
2010064795.tif 000002
【特許請求の範囲】
【請求項１】
散剤を分割収納する散剤収納体と、前記散剤収納体の上方位置で開閉板を開くと受入れた散剤を前記散剤収納体内に落下させるＶ形断面をした散剤分割枡と、前記散剤分割枡の内側に設けられその散剤分割枡の長手方向に移動可能な仕切板とを備え、散剤を所定分量ずつ袋体内に封入する分包機において、
前記仕切板の移動を規制する分割規制手段が設けられ、前記分割規制手段は、第１の作動態様と第２の作動態様とを取り得るように構成され、前記分割規制手段が前記第１の作動態様であるときに、該分割規制手段によって前記仕切板の移動が阻止され、前記分割規制手段が前記第２の作動態様であるときに、前記仕切板の移動が許容されることを特徴とする分包機。
【請求項２】
前記仕切板が前記散剤分割枡の長手方向の一端に向けて移動される際に、前記分割規制手段が前記第１の作動態様であるときには、前記散剤分割枡の長手方向の一端の手前で前記分割規制手段によって前記仕切板の移動が阻止され、前記分割規制手段が前記第２の作動態様であるときには、前記散剤分割枡の長手方向の一端まで前記仕切板の移動が許容される請求項１に記載の分包機。
【請求項３】
前記分割規制手段は規制部片を備え、前記分割規制手段が前記第１の作動態様であるときに、前記規制部片が前記仕切板に当接することで、前記仕切板の移動が阻止される請求項１または２に記載の分包機。
【請求項４】
前記規制部片は、前記散剤分割枡の一端側の端板と前記仕切板との間に配される請求項３に記載の分包機。
【発明の詳細な説明】
【技術分野】
【０００１】
本発明は、分包数の拡縮が容易に行えるようにされた散剤分割枡を備える分包機に関するものである。
【背景技術】
【０００２】
一般に、病院や医院などにおいては、医師の処方に合わせて錠剤や散剤などの調剤した薬剤を個々にあるいは複数種を合体して分包袋内に封入し、患者に供与するようにされている。従来、このような薬剤の分包作業を行う半自動型の分包機としては、例えば特許文献１に開示されるように散剤分割部と錠剤分割部とを備えた分包機が知られている。
【０００３】
この種の分包機における散剤分割部は、散剤を投入する開閉板付のＶ形断面をした分割枡と、この分割枡の下方に往復移動可能に設けられた散剤を一定分量ずつ収納する散剤収納体と、これら各散剤収納体の底部に設けられる開閉板を所定位置で開放してその散剤収納体内の散剤を下方に落下させる蓋開閉機構とを備えた構成とされている。そして、散剤が収納された散剤収納体は、間欠的に移動して開閉板を開くことにより散剤をシュートに落下させて、包装部で包装シートによって分包するようにされている。なお、錠剤は底部に開閉板を備える複数の別途錠剤収納体を間欠的に移動させ、シュートに落下させて包装部で前記散剤と同様にして包装シートによって分包される。
【先行技術文献】
【特許文献】
【０００４】
【特許文献１】特公昭５３−２２３４５号公報
【０００５】
このような薬剤の分包機は、小型であるため設置占有場所が小さくて、取扱いが容易であり、価格も廉価であることから、中小規模の病院や診療所，医院などにおいて多く使用されている。
【０００６】
このような従来の小型の薬剤分包機では、散剤分割部において、処方に従って散剤を分割するには、まず投薬する分包数に応じた総量の散剤を、Ｖ形断面をした細長い分割枡に投入した後、その分割枡内で散剤を均一になるように表面を均す。その後に蓋開閉機構を作動させて開閉板を開くと、分割枡内に投入された散剤が下方に位置する複数の散剤収納体内に落下して処方に従った数に分割されることになる。このように分割枡内に投入された散剤を分割するのに、分割包装数に合わせるため、その分割枡の直下に位置する複数の散剤収納体の数に対応する範囲で、予め仕切って計量できるように設定されている。
【０００７】
その分割数（分包）設定には、前記分割枡の幅方向の長さを等分して目盛を付し、例えば４２包分、２１包分というように分包数に応じて分割枡内容積を設定するための仕切板が、分割枡内を予め設定してある目盛に合わせて移動できるようにされている。このような仕切板による分包数に応じた計量区画の設定は、通常１日３包としてその整数倍で分包されるために、一般として最大１４日分の４２包に分割されている。しかしながら、特例として長期投与者に対する投薬の場合、３０日分の処方がなされることがある。
【０００８】
このようなことから、特例に対して合理的に分包するために４５包×２＝９０包として分包することが要求され、現在は１操作による最大の分割数を４５とする分割枡が設けられている。ところが、この種の分包機では、分割枡に投入された散剤を人手によって均しを行い分割操作するので、前述のように、一般的に１日３包で最大１４日分として４２包に分包する操作が多く行われている。そのために、通常時は３包分が余分となり、仕切板を正しく４２包に対応する目盛位置に合わせておかないと投入散剤を正確に分包できないことになる。したがって、仕切板の位置設定に細心の注意を払わねばならず、過誤が生じ易くて不便であるという問題がある。
【発明の概要】
【発明が解決しようとする課題】
【０００９】
本発明は、このような問題点を解消するためになされたもので、散剤分割枡における通常使用時の余剰部分を正確に仕切ることができる機能を備えた分包機を提供することを目的とするものである。
【課題を解決するための手段】
【００１０】
前記目的を達成するために、本発明による分包機は、
散剤を分割収納する散剤収納体と、前記散剤収納体の上方位置で開閉板を開くと受入れた散剤を前記散剤収納体内に落下させるＶ形断面をした散剤分割枡と、前記散剤分割枡の内側に設けられその散剤分割枡の長手方向に移動可能な仕切板とを備え、散剤を所定分量ずつ袋体内に封入する分包機において、
前記仕切板の移動を規制する分割規制手段が設けられ、前記分割規制手段は、第１の作動態様と第２の作動態様とを取り得るように構成され、前記分割規制手段が前記第１の作動態様であるときに、該分割規制手段によって前記仕切板の移動が阻止され、前記分割規制手段が前記第２の作動態様であるときに、前記仕切板の移動が許容されることを特徴とするものである。
【００１１】
本発明において、前記仕切板が前記散剤分割枡の長手方向の一端に向けて移動される際に、前記分割規制手段が前記第１の作動態様であるときには、前記散剤分割枡の長手方向の一端の手前で前記分割規制手段によって前記仕切板の移動が阻止され、前記分割規制手段が前記第２の作動態様であるときには、前記散剤分割枡の長手方向の一端まで前記仕切板の移動が許容されるのが好ましい。
【００１２】
前記発明において、前記分割規制手段は規制部片を備え、前記分割規制手段が前記第１の作動態様であるときに、前記規制部片が前記仕切板に当接することで、前記仕切板の移動が阻止されるのが好ましい。
【００１３】
ここで、前記規制部片は、前記散剤分割枡の一端側の端板と前記仕切板との間に配されるのが良い。
【発明の効果】
【００１４】
本発明によれば、散剤の分割数を設定する準備手段として分割枡内で仕切板を操作するに際し、通常の最大分割数に設定するときには、分割規制手段が第１の作動態様を取るようにしておけば、仕切板を通常時の最大分包位置まで移動させると、分割規制手段によってそれ以上に仕切板が移動できず、自動的に最大分包数（例えば４２包）が設定できることになり、過分割されることなく分包操作が行えることになる。一方、特例の４５包分に分包する必要が生じた場合には、分割規制手段が第２の作動態様を取るようにしておけば、仕切板を分割枡内の最も端の位置まで移動させることができ、４５包に分割して包装することができる。こうして、簡易な構成によって、散剤分割枡における通常使用時の余剰部分を正確に仕切ることができる。
【図面の簡単な説明】
【００１５】
【図１】本発明の一実施形態に係る分包機の全体外形図
【図２】本実施形態の分包機における散剤分割枡の要部拡大外観斜視図
【図３】本実施形態の分包機の要部断面図
【図４】分割規制手段の正面図（ａ）および作動態様を併記して表わす断面図（ｂ）
【図５】散剤分割枡における分割規制手段の他の実施形態を示す断面図
【図６】仕切ブロックの一例を示す図
【図７】散剤分割枡における分割規制手段の他の実施形態を示す断面図
【発明を実施するための形態】
【００１６】
次に、本発明による分包機の具体的な実施の形態につき、図面を参照しつつ説明する。
【００１７】
図１には、本発明の一実施形態に係る分包機の全体外形図が示されている。図２には、本実施形態の分包機における散剤分割枡の要部拡大外観斜視図が、図３には、本実施形態の分包機の要部断面図が、図４（ａ）には、分割規制手段の正面図が、図４（ｂ）には作動態様を併記して表わす断面図が、それぞれ示されている。
【００１８】
図１に示される薬剤の分包機は、箱型に形成された機体１を有し、この機体１の内部には散剤分包ユニット２と錠剤分包ユニット６（図３参照）が設けられ、これら散剤分包ユニット２と錠剤分包ユニット６から順次払い出される散剤・錠剤がシュート（図示せず）を介して送り出されて包装手段（図示せず）において包装紙により分包されるように構成されている。前記散剤分包ユニット２は、（例えば特開平７−６１４０２号公報によって知られるように）エンドレスベルト３（図３参照）の周囲に一側端部を枢着されてほぼ半周にわたって互いに隣接するように配列される散剤収納体４を備え、後述する散剤分割枡から落下した散剤を分割して受入れるようにされ、底部に付されてマグネット５ａにより常時閉じている開閉蓋５が図示されないシュートの直上部で順次開かれると、散剤はそのシュートから包装部へ移動する包装紙内に投入されるようになされている。
【００１９】
また、錠剤分包ユニット６は所要数の錠剤収納枡７ａを配列された錠剤分割盤７が前記シュート上部に向かって間欠的に移動して、底部に設けられた開閉蓋７ｂを順次開いて錠剤収納枡７ａ内から錠剤がシュート上に落下され、そのシュートから包装部へ移動する包装紙内に投入されるようになされている。なお、この錠剤収納枡７ａに対する錠剤の供給は、機体１の上面を覆う蓋体８に、前記錠剤収納枡７ａの停止位置直上部で同じ配分にて分包数を目視によって選定できるようにされた投入部６Ａが設けられている。
【００２０】
このような機体１の蓋体８上面の手前位置（操作側）に、散剤分割枡１０が、長手方向に、前記散剤分包ユニット２の散剤収納体４の配列に対応させて、全長を所要数に分割できる容量で、例えば４５分包に分割できるようにして、前記散剤分包ユニット２の直上位置に配置されている。
【００２１】
この散剤分割枡１０は、機体１の長手方向に延設される支持ブロック１１と、この支持ブロック１１の両端部に配設される端板１２，１２と、これら端板１２，１２間に設けられて前記支持ブロック１１とによってＶ字形の分割枡を形成する開閉板１３と、この分割枡の内側に設けられて長手方向に移動自在な仕切板１４とを有する構造にされている。そして、前記開閉板１３は、端板１２，１２にピン１５連結されて常時は下端が対向する支持ブロック１１の前面に接触して閉じる状態に保たれ、開操作を行うと（通常電動によって操作される）支持ピン１５を基点として閉位置から二点鎖線で表わされるように回動可能にされている。なお、図３で符号１７で示されるのは開閉板１３の所定角度以上の回動を阻止するストッパである。
【００２２】
このようにされる散剤分割枡１０の内側には、その一方の端板１２に沿わせて仕切板１４の移動を規制する分割規制手段２０が付設されている。この分割規制手段２０は、一方の端板１２の内面に沿わせて固定されるやや厚肉の支持部片２１と、この支持部片２１に上下方向で設けられる溝部２２に嵌め込まれて基部２３ａを支持部片２１にピン２４支持されて起倒可能に付設される規制部片２３と、その規制部片２３を起立させて溝部２２に収まるとその状態を保持させる係止機構２５（例えばマグネットによる吸着保持）とで構成されている。
【００２３】
また、前記規制部片２３は、その長さ寸法を基部２３ａでの支持部片２１に対する支持ピン２４を基点として倒伏するとちょうど分割数３包分のスペースを規制する長さにされ、上端部２３ｂが支持部片２１の上端から手で摘まんで回動（起伏）操作できるように突出されて付設されている。そして、その規制部片２３の中間部にはマグネット２５ａが嵌め込まれ、起立した溝部２２に収められた状態でそのマグネット２５ａに対向する位置に例えば鋼製の部片２５ｂが配されて、両者が磁力で吸着保持するようにされる係止機構２５が設けてある。なお、この規制部片２３は起立した状態で支持部片２１の溝部２２内に収まると、外面が支持部片２３の表面と合致するかあるいはそれ以下に収まる状態としておくのが、仕切板１４を散剤分割枡１０の内端まで移動させたとき、最大分割数（４５包）となるのに支障を来さないので好ましい。
【００２４】
このように構成することで、散剤分割枡１０は他方の端板１２と仕切板１４および支持ブロック１１と開閉板１３に囲まれるＶ型の内部が散剤を分割する枡になる。したがって、この分割枡となる空間に所要量の散剤を投入してその表面を均してから開閉板１３を開く操作を行えば、その開閉板１３が二点鎖線で示される位置に回動されることになり、下方の散剤収納体４内に散剤が一斉に落下して分割される。以後周知の手段で順次シュートから包装部に排出されて包装紙に封入され分包される。
【００２５】
そこで、一般の分包操作時には、分割枡１０内で仕切板１４を、支持ブロック１１側の上部縁に等分して表示されている目盛１７に合わせて分割数を設定するのであり、通常最も多く使用されるのは１日３包として１週間分（２１包）、または２週間分（４２包）に分割される。そのために、例えば一回の分包を４２包として作業するときには、分割規制手段２０の規制部片２３を倒しておけば、通常の最大分割数に設定するとき、仕切板１４を移動させてもその規制部片２３の先端によって仕切板１４の移動が阻止され、規制部片２３に当接した位置で仕切板１４を停止させれば、４２包に分割できることになり、それ以上に分割されることがない。したがって、分割に際しての過誤が未然に防止できる。
【００２６】
規制部片２３を起立させて支持部片２１内に戻せば、仕切板１４が分割規制手段２０による規制を解除されるので、分割枡１０内が最大のスペースになり、４５包に分割して包装できるのである。
【００２７】
図５には、散剤分割枡における分割規制手段の他の実施形態を示す断面図が示されている。この実施形態では、分割規制手段２０Ａとして、仕切板１４の保持部片１４Ａに規制部片２３ａを付設したものである。その規制部片２３ａは、前記実施例のものと同様に、その長さ寸法を基部での保持部片１４Ａに対する支持ピン２４ａを基点として倒伏するとちょうど分割数３包分のスペースを規制する長さにされ、上端部が保持部片１４Ａの上縁から手で摘まんで起伏できるように突出して付設されている。また、この規制部片２３ａは起立した状態で前記保持部片１４Ａに設けられた溝部１４ｂ内に収まるようにされ、中間部にはマグネット２５ａが嵌め込まれて、起立状態でそのマグネット２５ａに対向する位置に配される例えば鋼製の部片２５ｂとで磁力により吸着保持されるようにした係止機構２５によって仕切板１４を通常移動させるときに支障がないようにされている。
【００２８】
このようにされる分割規制手段２０Ａによれば、仕切板１４の保持部片１４Ａに取付く規制部片２３ａを倒した状態で、その仕切板１４を散剤分割枡１０内で最大移動位置に向かって移動させれば、散剤分割枡１０の内端に規制部片２３ａが接触した位置で移動を停止することによって、前記実施例と同様に通常最大分割数以上に移動するのを阻止され、分割数が正しく４２包に設定されるのである。なお、規制部片２３ａを起立させて保持部片１４Ａの溝部１４ｂに収めると、係止機構２５によって係止されるので仕切板１４を移動させるのに問題はなく、散剤分割枡１０の最終端まで移動させるとその最大分割数である４５包分の分割が可能になる。
【００２９】
また、分割規制手段２０による規制を解除した状態で、図６に示される仕切ブロック３０を用いるようにすれば、この分割枡１０に投入する散剤の分割数を二ブロックに分けて行うことができる。前記仕切ブロック３０としては、分割枡１０の支持ブロック１１並びに開閉板１４の両面に下半部が接触するようにして、例えば分割数３包分に相当する幅にされたブロック体で、脱着自在なものである。このような仕切ブロック３０は、図示省略するが、例えば分割枡１０の分割数が４５包分となる状態にして、その中間位置に配置すると、ちょうど左右に２１包分の計量区画が形成されることになる。したがって、その一方には患者Ａ用の散剤を、他方には患者Ｂ用の散剤を、それぞれ投入して均し、開閉板１４を開くと両者の散剤が同時に区分されて散剤収納体４内に落下して分割され、一連の操作で二種類の薬剤を混在させることなく２１包ずつ分包することが可能になる。なお、仕切ブロック３０は開閉板１４が開いても静止状態に保たれて支障はない。もちろん、使用済みになれば、取除くことで以後の分包作業に支障を来すこともない。
【００３０】
このように、本発明の分包機にあっては、簡単な構造で合理的に散剤の分包に際して分割数を規制できるので、多忙な薬局にあって、分包作業に際しての不便さを解消して過誤の発生を予防できる効果大なるものといえる。
【００３１】
以上の説明では、分割規制手段として分割枡端部に設ける支持部片あるいは仕切板の保持部片に基部を枢支された所要長さの規制部片を倒伏すると、分包数を規制する構成について説明したが、このほかに、図７（ａ），（ｂ）によって示されるように、散剤分割枡１０を構成する前記実施形態における支持ブロック１１、または開閉板１３の内面（分割枡を形成する面）一端部に、通常時にはそれらの表面に沿って同一面上に収まり、規制時には起立（本発明の倒すに対応）させることによって表面から突出した状態に（図７（ａ）において斜線で示す）なるようにされる規制片２０Ｂをピン２６にて起倒可能に設ける。あるいは図７（ｂ）で表わされるように、規制時に開閉板１３の内面側に突き出すようにピン２７支持されて規制片２０Ｃを起倒可能に設ける。そして、それら規制片２０Ｂまたは２０Ｃを内面側に突出させておくと仕切板１４の移動を阻止して分割数を規制できるようにすることができる。もちろん、規制片２０Ｂまたは２０Ｃを倒すと仕切板１４の移動ができる。なお、この規制片２０Ｂ，２０Ｃは散剤の受入れ均し操作に支障のない位置に設けるようにするのがよい。
【００３２】
また、支持部片に基端部を支持されて上側から分割枡内に張出す部片を設けて仕切板の移動を規制するもの、あるいは前述のような支持部片もしくは端板に溝を設けて、この溝に基端部を係合させて枡の内部に差込むなどする規制部片を用いるようにすることもできる。これらも本発明の範疇に属するものである。
【符号の説明】
【００３３】
１              機体
２              散剤分包ユニット
４              散剤収納体
６              錠剤分包ユニット
９              機体の蓋体
１０            分割枡
１１            支持ブロック
１２            端板
１３            開閉板
１４            仕切板
１４Ａ          保持部片
２０            分割規制手段
２０Ｂ，２０Ｃ  規制片
２１            支持部片
２３，２３ａ    規制部片
２４，２４ａ    支持ピン
２５            係止機構
【図１】
2010064795.tif 000003
【図２】
2010064795.tif 000004
【図３】
2010064795.tif 000005
【図４】
2010064795.tif 000006
【図５】
2010064795.tif 000007
【図６】
2010064795.tif 000008
【図７】
2010064795.tif 000009